(57)【要約】【課題】      本発明は、プラテンローラ本体の取り外しまたは取り付けの作業工程を減らすことができ、またメンテナンス時間を短縮することができるプリンタを提供することを課題とする。【解決手段】    プラテン軸６ｂを有したプラテンローラ本体６およびサーマルヘッドを備えたプリンタにおいて、メインフレーム９と、前記プラテンローラ本体６を回転可能に保持する保持部材１８と、この保持部材１８を前記メインフレーム９に固定するスクリューと、駆動源からの駆動を前記プラテン軸６ｂに伝達するプーリー１９と、を備え、このプーリー１９に、前記スクリュー２６を臨む位置に操作窓を形成したことを特徴とする。【選択図】    図２
2009006593.tif 000002
【特許請求の範囲】
【請求項１】
プラテン軸を有したプラテンローラ本体およびサーマルヘッドを備え、前記プラテンローラ本体と前記サーマルヘッドにより印字用紙に印字を行うプリンタにおいて、
メインフレームと、
前記プラテンローラ本体を前記メインフレームに回転可能に保持する保持手段と、
この保持手段を前記メインフレームに固定する固定手段と、
駆動源からの駆動を前記プラテン軸に伝達する駆動伝達手段と、を備え、
この駆動伝達手段に、前記固定手段を臨む位置に操作窓を形成したことを特徴とするプリンタ。
【請求項２】
前記固定手段はスクリューから構成され、前記操作窓を介してスクリューを操作可能とし、前記保持手段を着脱可能としたことを特徴とする請求項１記載のプリンタ。
【請求項３】
前記メインフレームに形成した開口部と、この開口部に嵌合する嵌合部を形成した前記保持手段を有したことを特徴とする請求項１記載のプリンタ。
【発明の詳細な説明】
【技術分野】
【０００１】
本発明は、プラテンローラ本体とサーマルヘッドを備えたプリンタに関し、とくに、プラテンローラ本体の着脱を容易にしたプリンタに関する。
【背景技術】
【０００２】
図４は、従来のサーマルプリンタの印字用紙の搬送方向の排出口の下流側からのハウジングを一部切欠いた断面図である。
サーマルプリンタ３０は、ベース３１、メインフレーム９、ハウジング３２を備え、このハウジング３２の内方に印字部４、制御部３３、用紙供給軸(図示せず)などが設けられている。
メインプレート９は、水平方向に設けられたベース３１に対して鉛直方向に設けられている。
【０００３】
用紙供給軸は、ロール状の印字用紙Ｐを回転可能に保持することができる。
印字部４は、プラテンローラ本体６と、サーマルヘッド７と、が設けられるとともに、サーマルヘッド７はプラテンローラ本体６に対し接離自在に設けられている。
プラテンローラ本体６は、ゴム材からなるプラテンローラ６ａと、このプラテンローラ６ａの軸心方向に突出したプラテン軸６ｂを備えている。
【０００４】
プラテンローラ本体６は、メインフレーム９と支持プレート８により回転可能に支持されている。
また、プラテン軸６ｂには、プーリー３４を所定の位置に固定することができ、プラテン軸６ｂとプーリー３４は一体で回転することができる。
メインフレーム９には、ステッピングモーター３５が設けられ、このステッピングモーター３５のモーター軸３６に設けられたモータープーリー３７とプーリー３４と間にはタイミングベルト３８が張架されている。
これにより、ステッピングモーター３５の駆動により、プラテンローラ本体６が回転駆動することができる。
【０００５】
しかしながら、プラテンローラの磨耗やメンテナンス時に、プラテンローラ本体を取り外す作業が発生する。プラテンローラ本体を取り外す場合には、タイミングベルトを取り外してから、プーリーをプラテン軸から取り外し、その後、プラテンローラ本体を固定している固定部材を取り外す作業が発生する。この作業は、固定部材に設けたスクリューを取り外してからプラテンローラ本体を引き抜く作業が行われている。
このように、プラテンローラ本体を取り外す場合には、作業工程が多くメンテナンスの作業時間を費やす問題がある。また、作業時間が長引くことにより印字発行作業の開始時間に遅れが生じる問題がある。
【０００６】
特許文献１には、印字装置のプラテン取付構造に関し、プラテン軸の両端に軸支持部材をそれぞれ取付け、軸支持部材にはプラテン軸に回転可能に取付けられるブッシュとブッシュに一体に又は別体で取付けられ把持部を備えたブッシュレバー部材とを備え、印字装置の筐体の一対の側壁には係合凹部がそれぞれ形成されていて、ブッシュレバー部材の把持部を把持してブッシュを係合凹部に係合させるとともにこれを回転させてブッシュの係合凹部からの離脱を防止するような関係にすることにより、プラテンを筐体に取付けるようにするとともに、逆の操作によりプラテンを筐体より離脱させるようにしたことが開示されている。
【０００７】
【特許文献１】特開平０６−０７１９５４号公報
【発明の開示】
【発明が解決しようとする課題】
【０００８】
本発明は斯かる問題点を鑑みてなされたものであり、プラテンローラ本体の取り外しまたは取り付けの作業工程を減らすことができるプリンタを提供することを課題とする。
また本発明は、メンテナンス時間を短縮することができるプリンタを提供することを課題とする。
プラテンローラ本体の取り外しまたは取り付けの作業時時間を短縮することができるプリンタを提供することを課題とする。
【課題を解決するための手段】
【０００９】
本発明は、プラテン軸に設けたプーリーに着目したもので、請求項１記載の発明の要旨は、プラテン軸を有したプラテンローラ本体およびサーマルヘッドを備え、前記プラテンローラ本体と前記サーマルヘッドにより印字用紙に印字を行うプリンタにおいて、メインフレームと、前記プラテンローラ本体を前記メインフレームに回転可能に保持する保持手段と、この保持手段を前記メインフレームに固定する固定手段と、駆動源からの駆動を前記プラテン軸に伝達する駆動伝達手段と、を備え、この駆動伝達手段に、前記固定手段を臨む位置に操作窓を形成したことを特徴とするプリンタにある。
また請求項２記載の発明の要旨は、前記固定手段はスクリューから構成され、前記操作窓を介してスクリューを操作可能とし、前記保持手段を着脱可能としたことを特徴とする請求項１記載のプリンタにある。
また請求項３記載の発明の要旨は、前記メインフレームに形成した開口部と、この開口部に嵌合する嵌合部を形成した前記保持手段を有したことを特徴とする請求項１記載のプリンタにある。  
【発明の効果】
【００１０】
本発明のプリンタは、プラテンローラ本体の取り外しまたは取り付けを容易にすることができる。また、作業工程を減らすことができ作業時間を短縮することができる。さらに、プラテンローラ本体の取り外しまたは取り付けの操作性を向上させることができる。
【発明を実施するための最良の形態】
【００１１】
本発明の実施の形態を図１および図３に基づいて説明する。
図１は本発明のプリンタの概略構成図であり、図２はプラテン機構を概略的に示した組図であり、図３（ａ）は保持部材を説明する平面図、（ｂ）はプーリーを説明する平面図である。
尚、従来と同一の構成には同一の符号付し、詳細な説明を省略する。
【００１２】
プリンタ１は主に、用紙供給部２、ピッチ検出部３、印字部４と、から構成している。
用紙供給部２は、紙類からなる長尺状の印字用紙Ｐをロール状にしたロール状の印字用紙Ｐを回転可能に支持する用紙供給軸５を備え、繰り出された印字用紙Ｐは、案内ローラ１５を介して、後述する印字部４に移送することができる。
【００１３】
ピッチ検出部３は、反射型のピッチ検出センサー３ａを設けることができる。反射型のピッチ検出センサー３ａは、用紙供給部３と印字部４との間の印字用紙Ｐの移送路の下方に配置されている。
ピッチ検出センサー３ａは、印字用紙Ｐの裏面側に発光部と受光部を配し、印字用紙Ｐの裏面に印刷等によって形成された図示せぬピッチマーク（黒色の矩形のマーク）を、受光部の受光量に基づいて検出するようにしている。
ピッチ検出センサー３ａは、ピッチマークの検出結果を図示しない制御部（図示せず）に供給することができ、制御部は、この検出結果に基づいて、印字開始位置などの基準信号として制御することができる。
【００１４】
印字部４は、プラテンローラ本体６とサーマルヘッド７とが設けられるとともに、サーマルヘッド７はプラテンローラ本体６に対し接離自在に設けられている。また、プラテンローラ本体６には、プラテンローラ６ａとプラテン軸６ｂとを有している。
プラテンローラ６ａは、ゴム材から成る円柱状の形状を有している。また、プラテン軸６ｂは、プラテンローラ６ａの軸心方向に突出するように設け、このプラテン軸６ｂの一方を支持する支持フレーム８と、他方を支持するメインフレーム９とによりプラテンローラ本体６を回転可能に架設することができる。
【００１５】
プラテンローラ本体６は、後述するプラテン機構を介して図示しないステッピングモーターの駆動により回転可能に駆動することができる。
サーマルヘッド７の上方には、リボン供給軸１０とリボン巻取軸１１を配置されている。リボン供給軸１０には、長尺状のフィルムにインクを塗布したインクリボン１２をロール状にしたロール状のインクリボン１２を回転可能に設けることができる。
【００１６】
リボン供給部１０から繰り出されたインクリボン１２は、案内ローラ１３に案内されてサーマルヘッド７を介してリボン巻取軸１１に巻き取られる。
尚、サーマルヘッド７とリボン巻取軸１１とのインクリボン１２の移送路には、駆動ローラ１４を配置することができる。
駆動ローラ１４は、ステッピングモーター(図示せず)の駆動により、駆動ローラ１４およびリボン巻取軸１１が回転駆動してインクリボン１２を移送させてリボン巻取軸１１に巻き取ることができる。
【００１７】
このように構成したプリンタ１は、印字用紙Ｐの上面にインクリボン１２を重ねて、プラテンローラ６とサーマルヘッド７とにより挟持され、図示しない制御部からの印字指令によりプラテンローラ６が駆動するとともに、サーマルヘッド７が選択的に発熱体（図示せず）を発熱させることにより、印字用紙Ｐの上面(印字面)にインクを転写して文字、バーコードなど印字することができる。印字された印字用紙Ｐは、排出口１６から排出することができる。
尚、この実施の形態では、インクリボン１２のインクを印字用紙Ｐに転写して印字する熱転写方式で説明するが、印字用紙Ｐに感熱発色層を設けて感熱発色させる感熱発色方式であってもよい。
【００１８】
次に、プラテン機構について説明する。
プラテン機構は主に、プラテンローラ本体６と、保持部材１８と、プーリー１９と、を有している。
プラテンローラ本体６の軸心方向に設けたプラテン軸６ｂの一方は、ベアリング１７を介して支持プレート８に支持され、プラテン軸６ｂの他方は、ベアリング１７および保持部材１８を介してメインプレート９に保持可能に設けることができる。
これにより、プラテンローラ本体６を支持フレーム８とメインフレーム９とにより回転可能に架設すすることができる。
さらにメインプレート９には、プラテンローラ本体６の径よりも大きな径を有する開口部９ａを形成することができる。
開口部９ａには、プラテンローラ本体６を挿通可能な大きさの開口を形成してある。
【００１９】
メインフレーム９側のプラテン軸６ｂに、ベアリング１７、保持部材１８およびプーリー１９を順に挿通することができる。
保持部材１８は、嵌合部２１と、保持部２２と、を有している。嵌合部２１は、円形状の円形プレート２１ａから形成されるとともに、開口部９ａに嵌合する円形状の嵌合凸部２４を備えている。また、円形プレート２１ａの中心には、プラテン軸６ｂを挿通するとともにベアリング１７に嵌合する嵌合孔２３を形成することができる。
【００２０】
さらに、円形プレート２１ａの外縁から突出するとともに、円形プレート２１ａの平面に沿って対称的に一対の保持部２２，２２を設けることができる。保持部２２,２２は、平面状の取付プレート２５，２５が各々設けてある。
各取付プレート２５は、スクリュー孔（図示せず）を形成することができ、スクリュー２６をスクリュー孔に挿通してメインフレームに螺着することができる。これにより保持部材１９をメインフレーム９に固定することができる。
【００２１】
プーリー１９は、図示しないタイミングベルトに係合する係合面１９ａと、一対の操作窓２８と、リブ２９と、を備えている。
タイミングベルトは、図示しないステッピングモーターのモーター軸に設けたモータープーリーに張架することができる。
操作窓２８は、保持部材１８を固定するスクリュー２６を回転操作することができる操作具（図示せず）を貫通可能な孔とすることができる。また、プーリー１９の中心部にプラテン軸６ｂを挿通する軸孔２７を形成することができる。
尚、操作窓２８，２８は、プーリー１９の円周の近傍に形成されるとともに、二つ形成することができる。
【００２２】
このように形成したプリンタ１のプラテン機構は、プラテンローラ本体６の一方のプラテン軸６ｂにベアリング１７を介して支持プレート８により支持され、プラテン軸６ｂの他方にベアリング１７、保持部材１８を挿通する。
プラテン軸６ｂに挿通されたベアリング１７は、保持部材１８の嵌合孔２３に嵌合され、保持部材１８に形成した嵌合凸部２４をメインプレート９の開口部９ａに嵌合させて、スクリュー２６を回転可能に操作することができる操作具（図示しない）によりスクリュー２６を回転操作して保持部材１８をメインプレート９に取り付けることができる。
次に、プーリー１９を他方側のプラテン軸６ｂに挿通してプラテン軸６ｂの所定位置に位置決め固定され、タイミングベルトをモータープーリー（何れも図示せず）と、に張架させることによりプラテン機構を組み付けることができ、印字用紙Ｐを用紙供給軸５に装填して印字発行を行うことができる。
【００２３】
そして、プリンタ１のメンテナンスまたはプラテンローラ６の磨耗などによりプラテンローラ本体６を外す場合には、図示しない操作具をプーリー１９の操作窓２８から操作具を挿入してスクリュー２６を回転操作してスクリュー２６を外すことができる。
この時にスクリュー２６の位置は、プーリー１９の操作窓２８から臨む位置に有しているので、容易にスクリュー２６を外すことができる。
次に、プーリー１９とモータープーリー（図示せず）とに張架されたタイミングベルト（図示せず）を外すことができる。
タイミングベルトおよびスクリュー２６を外すことにより保持部材１８をメインフレーム９の開口部９ａから外れるので、プラテンローラ６、保持部材１８、プラテン軸６ｂに固定されたプーリー１９を一体で、引き抜くことができる。
【００２４】
また、プラテンローラ６を取り付ける場合にも、上述動作の逆の手順の操作により、プラテンローラ６を取り付けることができる。
このように、プラテンローラ６の着脱する作業工程を減らすことにより作業時間の短縮をすることができる。また、作業が容易に行うことができるので、作業性を向上することができる。
【００２５】
この実施の形態では、プーリーに形成した操作窓を二つ設けた例で説明したが、一または二以上の操作窓を設けることができる。また操作窓の位置は保持部材をメインプレートに固定するスクリューの位置とすることができる。  
【００２６】
この実施の形態では、各構成部材の数、位置、形状等は上記実施の形態に限定されず、本発明を実施するうえで好適な数、位置、形状等にすることができる。本発明が上記各実施の形態に限定されず、本発明の技術思想の範囲内において、実施の形態は適宜変更され得ることは明らかである。
【図面の簡単な説明】
【００２７】
【図１】本発明のプリンタの概略構成図である。
【図２】同上、プラテン機構を概略的に示した組図である。
【図３】（ａ）は保持部材を説明する平面図である。  （ｂ）はプーリーを説明する平面図である。
【図４】従来のサーマルプリンタの印字用紙の搬送方向の排出口方向からのハウジングを一部切欠いた断面図である。
【符号の説明】
【００２８】
１      プリンタ
２      用紙供給部
３      ピッチ検出部
４      印字部
６      プラテンローラ本体
６ａ    プラテンローラ
６ｂ    プラテン軸
８      支持フレーム
９      メインフレーム
１７      ベアリング    
１８      保持部材（保持手段）
１９      プーリー（駆動伝達手段）
２１      嵌合部
２２      保持部
２３      嵌合孔
２４      嵌合凸部
２６      スクリュー（固定手段）
２８      操作窓
３０      プリンタ（従来）
Ｐ      印字用紙
【図１】
2009006593.tif 000003
【図２】
2009006593.tif 000004
【図３】
2009006593.tif 000005
【図４】
2009006593.tif 000006